(57)【要約】【課題】温度補償範囲を設定変更できる温度補償型発振回路を提供する。【課題の解決手段】温度変化に対応して発振周波数が変化する感温発振器３と、ディジタルデータで発振周波数を調整する容量アレイ４を有する水晶発振回路５と、水晶発振回路５の出力により制御されるＡＮＤゲート回路７によって感温発振器３の出力周波数をカウントするカウンタ９と、このカウント値をアドレスとして容量アレイ４を制御するディジタルデータを格納したＲＯＭ１２と、このＲＯＭ１２のディジタルデータによって容量アレイ４を制御して外部に出力される発振信号の周波数を調整する温度補償型発振回路１であって、感温発振器３の発振周波数を温度変化によらず調整する発振周波数調整手段２と、ＡＮＤゲート回路７のゲート時間を設定するゲート時間設定手段８との少なくとも一方の手段を備え、また、カウンタ９の初期値を設定するカウンタ初期値設定手段１０を備える。【選択図】図１
2014072857.tif 000002
【特許請求の範囲】
【請求項１】
温度変化に対応して発振周波数が変化する感温発振器と、ディジタルデータで発振出力の周波数を調整する周波数調整部を有する水晶発振回路と、前記感温発振器又は前記水晶発振回路のいずれか一方の出力により制御されるゲート回路によって他方の出力周波数をカウントするカウンタと、このカウンタのカウント値をアドレスとして前記周波数調整部を制御するディジタルデータを格納したメモリと、このメモリのディジタルデータによって前記周波数調整部を制御して外部に出力される発振信号の周波数を調整する温度補償型発振回路であって、前記感温発振器の発振周波数を温度変化によらず調整する発振周波数調整手段と、前記ゲート回路のゲート時間を設定するゲート時間設定手段との少なくとも一方の手段を備えるとともに、前記カウンタの初期値を設定するカウンタ初期値設定手段を備えることを特徴とする温度補償型発振回路。
【発明の詳細な説明】
【技術分野】
【０００１】
本発明は、デジタルコード化した温度情報を基にして温度変化による発振周波数の変動を補償する温度補償型発振回路に関する。
【背景技術】
【０００２】
従来、温度変化による発振回路の発振周波数を調整して安定した出力を得るための温度補償型発振回路としては、大別すると、いわゆるＡＤ変換方式と感温発振器を利用した方式がある。ＡＤ変換方式は、例えば、温度センサ、ＡＤコンバータ、ＲＯＭを備え，温度センサ出力電圧をＡＤ変換することでＲＯＭアドレスを生成し、該当するＲＯＭアドレスに保持している水晶発振回路に対する制御データに基づき、水晶発振回路の発振周波数を調整するものである（特許文献１）。感温発振器を利用した方式は、例えば、感温発振器、カウンタ、分周回路、ＲＯＭを備え、感温発振クロック数をカウンタでカウントしてＲＯＭアドレスを生成し、該当するＲＯＭアドレスに保持している水晶発振回路に対する制御データに基づき、水晶発振回路の発振周波数を調整するものである（特許文献２）。
【先行技術文献】
【特許文献】
【０００３】
【特許文献１】特開昭６２−７６８０１号公報
【特許文献２】特開平２−１２３８０４号公報
【発明の概要】
【発明が解決しようとする課題】
【０００４】
上述のＡＤ変換方式では、極端に小さな電圧変化はノイズの影響を受けて検出が困難であり、温度分解能が充分ではなく、精度において満足できないという不都合がある。一方、従来の温度に応じて周波数が変化する感温発振器を利用した方式では、精度において満足でき、また、量産適応性にも勝れている。しかしながら、これら従来のものは、いずれにしても、温度補償範囲があらかじめ固定設定されるとともに、設定温度範囲に応じた周波数精度も固定設定されている。このため、例えば、温度補償範囲が−４０°Ｃ〜＋８５°Ｃで、周波数精度が±５ｐｐｍと固定設定されている場合に、温度補償範囲を−２０°Ｃ〜＋１１０°Ｃで使用したいという要望に応えることはできないという不都合がある。
本発明は、この不都合を解消し、温度補償範囲を自由に設定できる温度補償型発振回路を提供することを目的とする。
【課題を解決するための手段】
【０００５】
この目的を達成するため本発明に係る温度補償型発振回路は、温度変化に対応して発振周波数が変化する感温発振器と、ディジタルデータで発振出力の周波数を調整する周波数調整部を有する水晶発振回路と、前記感温発振器又は前記水晶発振回路のいずれか一方の出力により制御されるゲート回路によって他方の出力周波数をカウントするカウンタと、このカウンタのカウント値をアドレスとして前記周波数調整部を制御するディジタルデータを格納したメモリと、このメモリのディジタルデータによって前記周波数調整部を制御して外部に出力される発振信号の周波数を調整する温度補償型発振回路であって、前記感温発振器の発振周波数を温度変化によらず調整する発振周波数調整手段と、前記ゲート回路のゲート時間を設定するゲート時間設定手段との少なくとも一方の手段を備えるとともに、前記カウンタの初期値を設定するカウンタ初期値設定手段を備えるものである。
【発明の効果】
【０００６】
本発明に係る温度補償型発振回路によれば、カウンタ初期値の設定と、感温発振器の発振周波数の調整及び／又はゲート時間の設定とを行なうことにより、温度補償範囲を自由に選択することができる。
【図面の簡単な説明】
【０００７】
【図１】本発明の一実施形態における全体構成を示すブロック図。
【図２】同じく発振周波数調整手段の動作を示すグラフ。
【図３】同じくゲート時間設定手段の動作を示す説明図。
【図４】同じくカウンタ初期値設定手段の動作を示す説明図。
【図５】本発明の他の実施形態における全体構成を示すブロック図。
【発明を実施するための形態】
【０００８】
まず、添付図面の図１に基づいて温度補償型発振回路の構成を説明する。温度補償型発振回路１は、温度変化に対応して発振周波数が変化するとともに、発振周波数を温度変化によらず調整する発振周波数調整手段２を備えた感温発振器３と、ディジタルデータで発振周波数を調整する周波数調整部としての容量アレイ４を有する水晶発振回路５を備えている。
【０００９】
水晶発振回路５の出力は、分周回路６により分周されてゲート回路であるＡＮＤゲート７のゲート時間を設定するゲート時間設定手段８に入力する。前記ＡＮＤゲート７には感温発振器３の出力が入力する一方、前記ゲート時間設定手段８で設定されたゲート時間信号が入力する。前記ＡＮＤゲート７から、設定されたゲート時間に対応する前記感温発振器３の出力周波数が、８ビットのカウンタ９に入力して、カウンタ９はこの出力パルス数をカウントする。また、前記カウンタ９は、その初期値を設定するカウンタ初期値設定手段１０を備えている。
【００１０】
カウンタ９のカウント値はアドレスレジスタ１１に入力して、所定ビットのアドレス信号に変換され、このアドレス信号がメモリたるＲＯＭ１２に入力する。このＲＯＭ１２には、アドレス信号をアドレスとしてそれぞれの温度に対応して出力すべき補償容量コードを表すディジタルデータがあらかじめ格納されている。前記ＲＯＭ１２は、入力したアドレス信号に応じて、各アドレスに格納しているディジタルデータを容量アレイ４に出力する。
【００１１】
容量アレイ４は、入力したディジタルデータによってそのスイッチがオンオフ制御され、負荷容量値が切替られる。これによって、水晶発信回路５の出力周波数が調整される。このように、感温発振器３の出力周波数を水晶発振回路５の出力パルスによってカウントすることによって、温度情報を得て温度補償をするものである。
【００１２】
次に、温度補償範囲を、例えば−４０°Ｃ〜＋８０°Ｃに設定変更する動作について説明する。図２に示すように、感温発振器３における温度と出力周波数の関係は、電流を制御する抵抗の抵抗値が正の温度係数を有する場合は、温度が上がると抵抗値も上がるため、電流が減って周波数は低くなる。ここで、感温発振器３における−４０度での周波数が１．２ＭＨｚ、＋８０度での周波数が７２０ＫＨｚであるとし、ゲート時間が５００μｓｅｃであるとすると、それぞれの出力パルス数は６００、３６０となる。また、−４０°Ｃ〜＋８０°Ｃの中心（中間）温度は＋２０°Ｃで、出力パルス数は４８０となる。
【００１３】
したがって、−４０°Ｃ〜＋８０°Ｃの温度範囲内において、カウントすべき感温発振器３の出力パルス数は、６００−３６０＝２４０であり、このパルス数を８ビットのカウンタ９の１サイクル２５６カウント内でカウントできるように、感温発振器３の発振周波数を発振周波数調整手段２で調整し、あるいはゲート時間をゲート時間設定手段８で設定するとともに、中心（中間）温度＋２０°Ｃに対応するパルス信号が２５６カウントの中間である１２８番目にカウントされるようにカウンタ初期値をカウンタ初期値設定手段１０で設定すれば良いことになる。
【００１４】
図２に示すように、感温発振器３の発振周波数は、電流制御により変化するが、この電流制御は、例えば感温発振器３の定電流回路を構成するトランジスタのサイズを変更することによって可能となる。一般にこの種のトランジスタは複数個を並列接続して一個のトランジスタ機能を果たすよう形成されているので、並列接続されている複数個のうち適宜なトランジスタの接続を切ることにより、サイズ変更が可能である。すなわち、前記トランジスタのサイズ変更が、発振周波数調整手段２である。そして、例えば発振周波数を２倍にすれば、同一ゲート時間におけるパルス信号のカウント数は２倍になる。
【００１５】
また、図３に示すように、分周回路６における分周比を変えることで、ゲート時間設定手段８からゲート時間の設定制御信号がＡＮＤゲート７に出力され、ゲート時間の長短によりカウントするパルス数が制御される。すなわち、前記分周比の変更が、ゲート時間設定手段８である。そして、例えば、ゲート時間を２倍にすれば、同一発振周波数においてカウントするパルス信号数は２倍となる。
【００１６】
さらに、図４（ａ）に示すように、８ビットのカウンタ９はカウント数が２５６毎に０に復帰するため、パルス信号カウントの初期値がカウンタの０に固定されていると、温度補償範囲であるパルス数３６０から６００のカウントは、２つのサイクルにまたがってカウントされるので、５１２番目のパルスをカウントしたところで０に復帰してしまう。このため、温度補償範囲内の温度変化データをカウンタ９の出力とＲＯＭ１２のデータとから検証したい場合などには、対応関係がわかりにくいという不都合がある。
【００１７】
これに対して、図４（ｂ）に示すように、パルス信号カウントの初期値を、中心（中間）温度である＋２０°Ｃに対応する４８０番目のパルスが１サイクルのカウントの中間に来るよう調整すると、温度補償範囲であるパルス数３６０から６００のカウントは、１サイクル内のカウントで収まるので、上述の検証等にあたって好都合である。このようなカウンタ９の初期値設定は、２サイクルのカウント値５１２から、中心（中間）温度でのパルスのカウント数４８０を引いたものに、中心にしたいカウンタ９のカウント値１２８を加えればよい。すなわち、カウンタ９のカウント値１６０（＝５１２−４８０+１２８）をパルス信号カウントの初期値とすればよい。すなわち、カウンタ９のカウント数の書き換えがカウンタ初期値設定手段となる。
【００１８】
このようにして、本実施形態によれば、発振周波数調整手段２と、ゲート時間設定手段８と、カウンタ初期値設定手段１０とを、設定すべき温度補償範囲に対応するよう適宜調整して使用することにより、カウンタ９のビット数を変えることなく、温度補償範囲の変更設定を確実、かつ容易に行なうことができる。
【００１９】
なお、本発明は上述の実施形態に限られるものではなく、例えば、発振周波数調整手段２とゲート時間設定手段８は、いずれか一方を設ければよいものである。
【００２０】
また、上述の実施形態においては、発振回路５はスイッチにより制御される容量アレイ４を有し、周波数の調整は、感温発振器３からのディジタルデータによって発振回路５の発振周波数自体の調整により行なったが、周波数の調整は他の方式でも可能である。すなわち、論理緩急方式で出力周波数を調整する形態にも適用でき、この場合、感温発振器からのディジタルデータによって分周回路の一部でパルスを加減して調整する。図５は、論理緩急方式で出力周波数を調整する温度補償型発振回路の全体構成を示すブロック図である。温度補償型発振回路は、発振周波数調整手段を備えた感温発振器と、固定容量を有する水晶発振回路と、水晶発振回路の出力周波数を分周して出力する分周回路を備えている。この分周回路は、論理緩急による出力周波数の調整のために、感温発振器からのディジタルデータに基づきパルスを加減した周波数の発振信号を生成する機能を有する。
【符号の説明】
【００２１】
１      温度補償型発振回路
２      発振周波数調整手段
３      感温発振器
４      容量アレイ
５      水晶発振回路
６      分周回路
７      ＡＮＤゲート
８      ゲート時間設定手段
９      カウンタ
１０      カウンタ初期値設定手段
１１      アドレスレジスタ
１２      ＲＯＭ
【図１】
2014072857.tif 000003
【図２】
2014072857.tif 000004
【図３】
2014072857.tif 000005
【図４】
2014072857.tif 000006
【図５】
2014072857.tif 000007